(57)【要約】【課題】  車内の美観を損ねることなく、ごみ容器の設置が簡潔にできしかも車の走行時に揺れ倒れがなく、ごみ容器の着脱操作性も良好な車用ごみ容器を提供する。【解決手段】  立方体形の箱体５と、上記箱体５の上面又は側面に設けた開口部５Ａと、上記箱体の片側面５Ｂ又は底面５Ｃに設けた第一係着手段１０Ａと、車内の床面２又は側壁面３Ａに設け上記第一係着手段に係着される第二係着手段１０Ｂと、を具備した車用ごみ容器１００である。【選択図】図１
2010241593.tif 000002
【特許請求の範囲】
【請求項１】
立方体形の箱体と、上記箱体の上面又は側面に設けた開口部と、上記箱体の片側面又は底面に設けた第一係着手段と、車内の床面又は側壁面に設け上記第一係着手段に係着される第二係着手段と、を具備したことを特徴とする車用ごみ容器。
【請求項２】
上記第一係着手段及び第二係着手段は、フック部とループ部とかなることを特徴とする請求項１記載の車用ごみ容器。
【請求項３】
上記フック部とループ部とは、金属性又は樹脂材で形成されていることを特徴とする請求項２記載の車用ごみ容器。
【請求項４】
上記箱体は、その開口に蓋を設けたことを特徴とする請求項１記載の車用ごみ容器。
【請求項５】
上記箱体は、その内部に区画板を設けたことを特徴とする請求項１記載の車用ごみ容器。
【発明の詳細な説明】
【技術分野】
【０００１】  本発明は、例えば、乗用車やトラック・バス等の車内の座席付近に固定して使用する車用ごみ容器に係り、特に、車内の美観を損ねることなく、ごみ容器の設置が簡潔にでき、しかも車の走行時に揺れ倒れがなく、ごみ容器の着脱操作性も良好な車用ごみ容器に関する。
【背景技術】
【０００２】  従来、例えば、乗用車やトラック・バス等の車内の座席付近に固定して使用する車用ごみ容器が提供されている。その代表的な事例を挙げれば、必要時に簡単にゴミ袋を装着することができ、不必要な時にはすっきりと収納されて邪魔になることのない車輌用の簡易ゴミ袋装着装置がある。具体的な構成は、車体の内装基材に軸受部材を介してゴミ袋吊下用の半環状部材を前記内装基材の前面に添って折り畳まれた不使用納状態と内装基材の前面から略水平に張出された使用状態の２態様に保持できるように両遊端部をもって軸支させ、また、半環状部材の左右対向位置には一対の袋把手係止用のフック部材を、この半環状部材が使用状態とされたときに下向きに垂下された使用状態とされ、半環状部材が不使用状態とされたときには内装基材の前面に添って折り畳まれた不使用状態とすることのできるように、基端をもって枢着したものである（例えば、特許文献１を参照。）。【０００３】  また、別案には、不使用時には、コンパクトに折り畳めて嵩張らず、使用時に、ゴミ収納口を十分に確保できる自動車用ゴミ容器が提供されている。その構成は、可撓性シート材によって形成された一側に開口部を有する容器本体と、この容器本体を座席の所望位置に保持するための位置保持手段とを備え、前記容器本体の開口部周縁には、この開口部を開放状態または開口部を折り畳んで閉止状態に保持する口金が設けられている。そして、位置保持手段が容器本体から延出する紐状体であって、この紐状体が容器本体に分離自在に取りつけられているものである（例えば、特許文献２を参照。）。【０００４】  更に、別案には、自動車のステップ部に装着して種々の目的に使用できるようにしたもので、その構成は、車内側の段差状のステップ部２に、取付部１７またはロック部材１９により、収納部１１をステップ部２のブラケット３１に着脱自在に取付けるとともに、アームレスト３のポケット部４に着脱自在に取付けたものである（例えば、特許文献３を参照。）。
【先行技術文献】
【特許文献】
【０００５】
【特許文献１】  特開２０００−１５３７３９号公報
【特許文献２】  実開平５−３０００４号公報
【特許文献３】  実開平６−８７０８９号公報
【発明の概要】
【発明が解決しようとする課題】
【０００６】  上記特開２０００−１５３７３９号公報の車輌用の簡易ゴミ袋装着装置によると、必要時に簡単にゴミ袋をドアの内張りや前席シートの背面に装着することができるものの、ゴミ袋をゴミ容器としている為に、外観を損ねるばかりかフロア等に設置させられない問題点がある。【０００７】  また、実開平５−３０００４号公報の自動車用ゴミ容器は、不使用時には、コンパクトに折り畳めて嵩張らず、使用時に、ゴミ収納口を十分に確保できるものの、運転席や助手席の足下に容器本体を配置するに際してゴム紐を座席の側壁に沿わせて係止金具を座席のヒンジを構成する金具に係止させるか、座席のヘッドレストの支柱にゴム紐を巻きつけ両係止金具同士を係止させるようにして座席後方に吊り下げるものであるから、容器本体の座りが不安定であり、安定した容器本体の車内設置ができない問題点がある。【０００８】  更に、実開平６−８７０８９号公報の自動車用収納箱は、自動車のステップ部に装着するタイプである為に、自動車への乗り降り時に収納箱が邪魔になることと、取付部の結合手段が堅牢なるが故に設置工事を必要とし、簡便な設置手段が採れず素人には設置し辛いと言う問題点がある。【０００９】  本発明は、上記車用ごみ容器の問題点に基づいてなされたもので、その目的とするところは、車内の美観を損ねることなく、ごみ容器の設置が簡潔にできしかも車の走行時に揺れ倒れがなく、ごみ容器の着脱操作性も良好な車用ごみ容器を提供することにある。
【課題を解決するための手段】
【００１０】  上記目的を達成するべく本発明の請求項１による車用ごみ容器は、立方体形の箱体と、上記箱体の上面又は側面に設けた開口部と、上記箱体の片側面又は底面に設けた第一係着手段と、車内の床面又は側壁面に設け上記第一係着手段に係着される第二係着手段と、を具備したことを特徴とする。【００１１】  また、請求項２による車用ごみ容器は、請求項１記載の車用ごみ容器において、上記第一係着手段及び第二係着手段は、フック部とループ部とかなることを特徴とする。【００１２】  また、請求項３による車用ごみ容器は、請求項１記載の車用ごみ容器において、上記フック部とループ部とは、金属性又は樹脂材で形成されていることを特徴とする。【００１３】  また、請求項４による車用ごみ容器は、請求項１記載の車用ごみ容器において、上記箱体は、その開口に蓋を設けたことを特徴とする。【００１４】  また、請求項５による車用ごみ容器は、請求項１記載の車用ごみ容器において、上記箱体は、その内部に区画板を設けたことを特徴とする。【００１５】  本発明の請求項１〜３の車用ごみ容器によると、まず、車内の床面又は側壁面に設けた第二係着手段に対して、立方体形の箱体の片側面又は底面に設けた第一係着手段を自由に係着させられるし、自動車の走行・停止によるごみ容器の転がり・移動が無くなり、ごみ容器を社内の所定位置に保持させられる。そして、箱体の上面又は側面には、開口部が設けられているから車内で生じた各種小物ゴミを、上記箱体の開口部から投入でき、車内にゴミが溢れず整理整頓される。更に、上記箱体にゴミが満杯になると、車内の床面又は側壁面に設けた第二係着手段から箱体の片側面又は底面に設けた第一係着手段を簡単な操作で分離でき、ゴミ捨て作業が簡単に行われる。【００１６】  また、本発明の請求項４の車用ごみ容器によると、上記箱体は、その開口に蓋を設けたから、箱体内のゴミが隠れて見えないから、車内の美的環境が整えられる。
また、本発明の請求項５の車用ごみ容器によると、箱体には、その内部に区画板を設けたから、ゴミの分別が行えるから、ゴミを捨てる時の分別作業が簡潔に行える。
【発明の効果】
【００１７】  本発明の車用ごみ容器によると、車内の美観を損ねることなく、ごみ容器の設置が簡潔にできしかも車の走行時に揺れ倒れがなく、ごみ容器の着脱操作性が良好にできる。また、箱体の開口に蓋を設けたから、箱体内のゴミが隠れて車内の美的環境が確保できる。
また、箱体の内部に区画板を設けることで、ゴミの分別ができ、ゴミを捨てる時の分別作業が簡潔にできる。【００１８】
【図面の簡単な説明】
【００１９】
【図１】  本発明の第１の実施の形態を示し，車用ごみ容器を備えた車の側面図である。
【図２】  本発明の第１の実施の形態を示し、車用ごみ容器を備えた車内の前面図である。
【図３】  本発明の第１の実施の形態を示し、ごみ容器の離脱作用図である。
【図４】  本発明の第１の実施の形態を示し、ごみ容器の装着作用図である。
【図５】  本発明の第２の実施の形態を示し、車用ごみ容器の斜視図である。
【図６】  本発明の第３の実施の形態を示し、車用ごみ容器の斜視図である。
【図７】  本発明の第４の実施の形態を示し、車用ごみ容器の斜視図である。
【発明を実施するための形態】
【００２０】  本発明の車用ごみ容器１００の主要な構成要素を図１〜図４により説明する。
【００２１】  以上の基本構成を基に車用ごみ容器１００の詳細を説明する。先ず、車用ごみ容器１００は、図１と図２に示すように、車両１の床面２やドア３等の壁面３Ａにインスタントに着脱可能な係着手段１０により装着される。車内において、１２は計器、１３はダツシュボード、１４は変速シフトである。続いて、図２〜図４により、車用ごみ容器１００の詳細を説明する。車用ごみ容器１００は、樹脂製又は金属製・木質紙質からなる立方体形の箱体５を主体とし、上記箱体５の上面又は側面には開口部５Ａが設けられている。上記箱体５の片側面５Ｂ又は底面５Ｃには、第一係着手段１０Ａが全面（又は一部表面でも良い）に設けられ、車内の床面２又は側壁面３Ａに設け上記第一係着手段１０Ａに係着される第二係着手段１０Ｂと、を具備している。
【００２２】  上記第一係着手段１０Ａ及び第二係着手段１０Ｂは、フック部１０Ｃとループ部１０Ｄとかなり、金属性又は樹脂材で形成されている。しかして、上記フック部１０Ｃをループ部１０Ｄに引き掛けることで、両者間が装着され、強く引く事で分離される関係構成になっている。尚、上記第二係着手段１０Ｂは、車内の床面２において、カーペットが敷かれたものでは、その表面がループ状を呈した突起物群からなるから、これ自体がループ部１０Ｄになる。これにより、カーペットが敷かれた車内の床面２にあっては、このカーペット表面に箱体５を乗せると、底面５Ｃに設けた第二係着手段１０のフック部１０Ｃが突起物群のループ部１０Ｄに引っ掛かり、確実に装着される関係構成を成すことが出来る。従って、上記第二係着手段１０Ｂは、車内の床面２において、ビニール製の敷物に限りこの表面にループ部１０Ｄを貼着すれば良い。
【００２３】  本発明の車用ごみ容器は、上記のように構成されており、図３と図４のようにして、車両１の床面２やドア３等の壁面３Ａに貼着したループ部１０Ｄに対して箱体５の底面５Ｃ等に貼着したフック部１０Ｃを引き掛けて装着させられる。先ず、装着は、図４に示すように、上記第一係着手段１０Ａであるフック部１０Ｃと第二係着手段１０Ｂであるループ部１０Ｄとは、手に持った箱体５の底面５Ｃ等に貼着したフック部１０Ｃを、車内の床面２等に設けたループ部１０Ｄに押し付けるだけで引き掛けられて装着させられる。また、図３のように、手に持った箱体５を強く引く事で、ループ部１０Ｄに絡み付くフック部１０Ｃが真っ直ぐに引き伸ばされて引っ掛かりが外れて分離される。
【００２４】  かくの如く、車内の床面２又は側壁面３Ａに設けた第二係着手段１０Ｂに対して、箱体５の片側面５Ｂ又は底面５Ｃに設けた第一係着手段１０Ａを自由に係着させられるし、自動車の走行・停止によるごみ容器１００の転がり・移動が無くなり、ごみ容器を社内の所定位置に保持させられる。そして、箱体５の上面又は側面には、開口部５Ａが設けられているから車内で生じた各種小物ゴミを、上記箱体の開口部から投入でき、車内にゴミが溢れず整理整頓される。更に、上記箱体にゴミが満杯になると、車内の床面又は側壁面に設けた第二係着手段１０Ｂから箱体の片側面又は底面に設けた第一係着手段１０Ａを簡単な操作で分離でき、ゴミ捨て作業が簡単に行われる。
【００２５】  本発明の実施形態となる車用ごみ容器１００によれば、下記の効果が奏せられる。
車の美観を損ねることなく、ごみ容器の設置が簡潔にできしかも車の走行時に揺れ倒れがなく、ごみ容器の着脱操作性が良好にできる。また、箱体の開口に蓋を設けたから、箱体内のゴミが隠れて車内の美的環境が確保できる。また、箱体の内部に区画板を設けることで、ゴミの分別ができ、ゴミを捨てる時の分別作業が簡潔にできる。
【００２６】  尚、本発明は上記第１の実施の形態に限定されるものではなく、発明の要旨内で適宜設計変更することができることは勿論である。例えば、車用ごみ容器１００は、上記実施の形態に限定されず、図５に示すように、第２の実施の形態となる車用ごみ容器２００のように、上記箱体５は、その上面の開口部５Ａに蓋２１を設けたものである。その他の構成は上記第１の実施の形態の車用ごみ容器１００と同一につき説明を省略する。
【００２７】  また、第３の実施の形態となる車用ごみ容器３００のように、上記箱体５は、その上面の開口部５Ａに蓋２１を設けるとともに、片側面５Ｂにも開口部５Ｗを設けたものである。その他の構成は上記第１の実施の形態の車用ごみ容器１００と同一につき説明を省略する。
【００２８】  上記第２の実施の形態となる車用ごみ容器２００及び第３の実施の形態となる車用ごみ容器３００によると、上記箱体は、その開口に蓋を設けたから、箱体内のゴミが隠れて見えないから、車内の美的環境が整えられ、美感が確保できる。
【００２９】  更に、第４の実施の形態となる車用ごみ容器４００によると、箱体５は、その内部に区画板５Ｋを設けたものである。その他の構成は上記第１の実施の形態の車用ごみ容器１００と同一につき説明を省略する。この車用ごみ容器４００によると、箱体には、その内部に区画板を設けたから、ゴミの分別ができ、ゴミを捨てる時の分別作業が簡潔にできる。
【産業上の利用可能性】
【００３０】  本発明の車用ごみ容器１００〜４００は、乗用車について説明したが、それに限定されるものではなく、通常の小型トラック・大型トラック・ワゴン車・特殊車両・バス等にも適用可能である。
【符号の説明】
【００３１】  １        車両
２        床面
３Ａ      壁面
５        箱体
５Ａ      開口部
５Ｂ      片側面
５Ｃ      底面
５Ｋ      区画板
５Ｗ      開口部
１０      係着手段
１０Ａ    第一係着手段
１０Ｂ    第二係着手段
１０Ｃ    フック部
１０Ｄ    ループ部
２１      蓋
１００    車用ごみ容器
２００    車用ごみ容器
３００    車用ごみ容器
４００    車用ごみ容器
【図１】
2010241593.tif 000003
【図２】
2010241593.tif 000004
【図３】
2010241593.tif 000005
【図４】
2010241593.tif 000006
【図５】
2010241593.tif 000007
【図６】
2010241593.tif 000008
【図７】
2010241593.tif 000009